(57)【要約】【課題】仰臥位での排泄を容易にする排泄補助具を提供する。【解決手段】仰臥位の使用者の臀部の下に置いて、臀部を背部よりも持ち上げるように用いられる排泄補助具１であって、排泄補助具１は、使用者の左側の大腿部を支える左側大腿支持部２と、使用者の右側の大腿部を支える右側大腿支持部３と、使用者の左側の臀部を支え、左側大腿支持部２に接続して設けられた左側臀部支持部４と、使用者の右側の臀部を支え、右側大腿支持部３に接続して設けられた右側臀部支持部５とを有し、左側大腿支持部２と右側大腿支持部３は大腿部の付け根側の高さが膝側の高さよりも高くなるように形成されている。【選択図】図１
2014176542.tif 000002
【特許請求の範囲】
【請求項１】
仰臥位の使用者の臀部の下に置いて、臀部を背部よりも持ち上げるように用いられる排泄補助具であって、
前記排泄補助具は、使用者の左側の大腿部を支える左側大腿支持部と、使用者の右側の大腿部を支える右側大腿支持部と、使用者の左側の臀部を支え、前記左側大腿支持部に接続して設けられた左側臀部支持部と、使用者の右側の臀部を支え、前記右側大腿支持部に接続して設けられた右側臀部支持部とを有し、
前記左側大腿支持部と前記右側大腿支持部は、大腿部の付け根側の高さが膝側の高さよりも高くなるように形成されていることを特徴とする排泄補助具。
【請求項２】
前記左側臀部支持部と前記右側臀部支持部は、使用者の臀部から背部に向かって高さが変わらないか漸減するように形成されている請求項１に記載の排泄補助具。
【請求項３】
前記左側大腿支持部と前記右側大腿支持部は、大腿部の付け根側から膝側に向かって高さが漸減するように形成され、前記左側大腿支持部と前記右側大腿支持部の７０％以上が５°〜３５°の角度で傾斜している請求項１または２に記載の排泄補助具。
【請求項４】
前記左側臀部支持部と前記右側臀部支持部が互いに接続している請求項１〜３のいずれか一項に記載の排泄補助具。
【請求項５】
前記左側臀部支持部と前記右側臀部支持部の間に、前記排泄補助具の上面を縦断する溝が形成されている請求項１〜３のいずれか一項に記載の排泄補助具。
【発明の詳細な説明】
【技術分野】
【０００１】
本発明は、仰臥位の状態の人が大便や放屁をすることを容易にする排泄補助具に関するものである。
【背景技術】
【０００２】
寝たきりの老人、身体が不自由な人、病気やケガ等で寝た状態での安静が求められる人などは、排泄を行うことが困難となる場合が多い。ベッド等で寝た状態の人がその場で排泄をするための道具として、差込便器が知られている。差込便器は深皿状の形状をした便器であり、仰臥位または座位状態の使用者に対して、臀部の下に差し込んで使用するものである。しかし、差込便器を用いての排泄は慣れない人にとっては難しい場合があり、仰臥位の状態での排泄を容易にするために、例えば特許文献１には、使用者の股間に対向して斜めに設けられた便座の上に使用者の臀部を載せて使用する便器が開示されている。また、便器が備えられたベッドなども知られており、例えば特許文献２には、使用者の臀部が位置する部分に便器が備えられ、使用者の大腿部を持ち上げるように構成されたベッドが開示されている。
【先行技術文献】
【特許文献】
【０００３】
【特許文献１】特開２００２−３１５７９０号公報
【特許文献２】特開２０１２−９０７００号公報
【発明の概要】
【発明が解決しようとする課題】
【０００４】
しかし本発明者が検討したところ、そもそも仰臥位で排泄をしようとすること自体、身体構造上無理があることが分かり、仰臥位で排泄をする場合は、排泄に適した体位をとることが重要であることが分かった。本発明は前記事情に鑑みてなされたものであり、その目的は、仰臥位での排泄を容易にする排泄補助具を提供することにある。
【課題を解決するための手段】
【０００５】
前記課題を解決することができた本発明の排泄補助具とは、仰臥位の使用者の臀部の下に置いて、臀部を背部よりも持ち上げるように用いられる排泄補助具であって、排泄補助具は、使用者の左側の大腿部を支える左側大腿支持部と、使用者の右側の大腿部を支える右側大腿支持部と、使用者の左側の臀部を支え、左側大腿支持部に接続して設けられた左側臀部支持部と、使用者の右側の臀部を支え、右側大腿支持部に接続して設けられた右側臀部支持部とを有し、左側大腿支持部と右側大腿支持部が大腿部の付け根側の高さが膝側の高さよりも高くなるように形成されているところに特徴を有する。本発明の排泄補助具を用いれば、仰臥位の使用者が排泄の際に脚に体重をかけて踏ん張ることができるようになり、大便や屁等の排泄を容易に行うことができる。
【０００６】
左側臀部支持部と右側臀部支持部は、使用者の臀部から背部に向かって高さが変わらないか漸減するように形成されていることが好ましい。このように排泄補助具が形成されていれば、使用者が仰臥位の状態で脚に体重をかけやすくなり、また使用者が無理なく臀部を持ち上げやすくなる。
【０００７】
左側大腿支持部と右側大腿支持部は、大腿部の付け根側から膝側に向かって高さが漸減するように形成され、左側大腿支持部と右側大腿支持部の７０％以上が５°〜３５°の角度で傾斜していることが好ましい。このように左側大腿支持部と右側大腿支持部が形成されていれば、使用者が仰臥位の状態で、無理な体勢とならずに脚に体重をかけやすくなる。
【０００８】
左側臀部支持部と右側臀部支持部は、互いに接続していることが好ましい。このように排泄補助具が形成されていれば、排泄補助具によって使用者の仙骨や腰椎も支えられ、使用者が臀部や腰部を持ち上げる体勢をとりやすくなる。
【０００９】
左側臀部支持部と右側臀部支持部の間には、排泄補助具の上面を縦断する溝が形成されていてもよい。このように排泄補助具が形成されていれば、介護者が、使用者の足側と背側の両方から臀部の下に手を入れやすくなり、大便等をした後に使用者の臀部や陰部を拭きやすくなる。
【発明の効果】
【００１０】
本発明の排泄補助具は、仰臥位の使用者の臀部の下に置いて用いることにより、仰臥位の使用者が排泄の際に脚に体重をかけて踏ん張ることができるようになり、大便や屁等の排泄を容易に行うことができる。
【図面の簡単な説明】
【００１１】
【図１】本発明の排泄補助具の例を表し、排泄補助具の斜視図を表す。
【図２】本発明の排泄補助具の他の例を表し、排泄補助具の斜視図を表す。
【図３】本発明の排泄補助具の他の例を表し、排泄補助具の斜視図を表す。
【図４】本発明の排泄補助具の他の例を表し、排泄補助具の斜視図を表す。
【発明を実施するための形態】
【００１２】
本発明の排泄補助具は、仰臥位の使用者の臀部の下に置いて用いられるものであり、使用者が仰臥位の状態でも大便や放屁を容易にできる体位をとれるよう身体を支えるものである。例えば、ベッド等で寝た状態の人が排泄をする場合、介護用ベッドを用いて上半身を起こすようにすれば、完全に寝た状態（フラットな床面に寝た状態）で排泄をする場合と比べて、まだ楽に排泄を行うことができる。しかし、介護用ベッドは高価であり、特に一般家庭で介護用ベッドを設置することは必ずしも容易ではない。一方、完全に寝た状態で排泄をする場合は、差込便器等を用いて排泄をすることが従来行われてきたが、大便や屁等を思うようにすることができない場合があった。
【００１３】
本発明者がこの原因について検討したところ、そもそも完全に寝た状態、すなわち仰臥位の状態で排泄をすることは、身体構造上無理があり、大便や屁等をするときに思うように力を入れることができないことが排泄行為を難しくしている原因であることが分かった。そして、仰臥位で排泄をする場合は、寝た状態でありながら脚に体重をかけることができる体位をとることが重要であり、このような体位をとることにより、大便や屁等をする際に脚で踏ん張れるようになり、排泄行為を容易に行えるようになることが分かった。本発明の排泄補助具は、このような体位を容易にとることができるように身体を支えるものである。すなわち本発明の排泄補助具は、仰臥位の使用者の臀部の下に置いて臀部を背部よりも持ち上げるように用いられ、大腿部の付け根側の高さが膝側の高さよりも高くなるように形成されているところに特徴を有するものである。
【００１４】
以下、本発明の排泄補助具について、図面を参照して説明するが、本発明の排泄補助具は、図面に示された実施態様に限定されるものではない。図１〜図４には、本発明の排泄補助具の例を示した。図面では、排泄補助具の各部を便宜的に点線で区分して表しているが、実際に排泄補助具にこれらの区分が明示されているわけではない。
【００１５】
本発明の排泄補助具１は、フラットな床面に使用者が仰臥位で寝た状態で使用するものであり、このような状態で排泄を容易に行えるようにするものである。排泄補助具１は、例えば、介護用ベッド等を用いて上半身を起こした状態や座位状態で使用することを目的としたものではない。つまり排泄補助具１は、仰臥位の使用者の臀部の下に置いて、臀部を背部よりも持ち上げるように用いられる。
【００１６】
排泄補助具１は、使用者の左側の大腿部を支える左側大腿支持部２と、使用者の右側の大腿部を支える右側大腿支持部３と、使用者の左側の臀部を支え、左側大腿支持部２に接続して設けられた左側臀部支持部４と、使用者の右側の臀部を支え、右側大腿支持部３に接続して設けられた右側臀部支持部５とを有し、左側大腿支持部２と右側大腿支持部３が、大腿部の付け根側の高さが膝側の高さよりも高くなるように形成されている。このように形成された排泄補助具１を排泄する際に用いることにより、使用者は、仰臥位で寝た状態でありながら脚に体重をかけて踏ん張ることができるようになり、大便や屁等の排泄を容易に行うことができる。
【００１７】
左側大腿支持部２と右側大腿支持部３は、使用者の左側の大腿部と右側の大腿部をそれぞれ支える部分である。左側大腿支持部２と右側大腿支持部３は、排泄補助具１の横方向断面において、排泄補助具１の他の部分よりも高さが高くなるように形成されていることが好ましい。なお本発明において、横方向とは排泄補助具を使用の際の使用者の左右方向に相当し、また縦方向とは、排泄補助具を使用の際の使用者の身長方向に相当する。
【００１８】
左側大腿支持部２と右側大腿支持部３は、大腿部の付け根側から膝側に向かって高さが漸減するように形成されていることが好ましい。このように左側大腿支持部２と右側大腿支持部３が形成されていれば、使用者が仰臥位の状態で脚に体重をかけやすくなる。
【００１９】
左側大腿支持部２と右側大腿支持部３は、大腿部の付け根側から膝側に向かって連続的に高さが漸減していることが好ましい。このとき、左側大腿支持部２と右側大腿支持部３は、５°以上の角度で傾斜していることが好ましく、８°以上の角度で傾斜していることがより好ましく、１０°以上の角度で傾斜していることがさらに好ましく、また３５°以下の角度で傾斜していることが好ましく、３０°以下の角度で傾斜していることがより好ましく、２５°以下の角度で傾斜していることがさらに好ましい。このような角度で左側大腿支持部２と右側大腿支持部３が傾斜していれば、使用者が仰臥位の状態で、無理な体勢とならずに脚に体重をかけやすくなる。なお、左側大腿支持部２と右側大腿支持部３は全ての部分でこのような角度で傾斜する必要はなく、少なくとも左側大腿支持部２と右側大腿支持部３の７０％以上（より好ましくは７５％以上であり、さらに好ましくは８０％以上）が前述の角度で傾斜していることが好ましい。左側大腿支持部２と右側大腿支持部３の角度は、それぞれの稜線に沿った断面において規定される。
【００２０】
左側大腿支持部２と右側大腿支持部３の長さ（縦方向の長さ）は、２００ｍｍ以上が好ましく、３００ｍｍ以上がより好ましく、４００ｍｍ以上がさらに好ましく、また６００ｍｍ以下が好ましく、５５０ｍｍ以下がより好ましい。左側大腿支持部２と右側大腿支持部３がこのような長さで形成されていれば、使用者が脚に体重をかけやすくなる。左側大腿支持部２と右側大腿支持部３は、少なくとも使用者の大腿部を支えるように存在すればよく、例えば、使用者の膝下まで延在していてもよい。
【００２１】
左側臀部支持部４と右側臀部支持部５は、使用者の左側の臀部と右側の臀部をそれぞれ支える部分である。左側臀部支持部４と右側臀部支持部５は、使用者の臀部から背部に向かって高さが変わらないか漸減するように形成されていることが好ましい。このように左側臀部支持部４と右側臀部支持部５が形成されていれば、使用者が仰臥位の状態で脚に体重をかけやすくなり、また使用者が無理なく臀部を持ち上げやすくなる。なお、図１、図２、図４では、左側臀部支持部４と右側臀部支持部５は使用者の臀部から背部に向かって高さが漸減するように形成され、図３では、左側臀部支持部４と右側臀部支持部５は高さが変わらないように形成されている。
【００２２】
左側臀部支持部４と右側臀部支持部５は、図１〜図３に示すように、使用者の臀部から腰部を支えるものであってもよく、図４に示すようにさらに背部にかけて延在するものであってもよい。左側臀部支持部４と右側臀部支持部５は、使用者の臀部から腰部にかけては、高さが変わらないか漸減するように形成されればよいが、図４に示すように左側臀部支持部４と右側臀部支持部５が使用者の背部にも延在する場合は、使用者の腰部から背部にかけて高さが漸減するように形成されていることが好ましい。このように排泄補助具１が形成されていれば、排泄補助具１によって使用者の腰部から背部にかけても支えられるようになり、使用者が仰臥位で臀部を持ち上げる体勢をとりやすくなる。
【００２３】
左側臀部支持部４と右側臀部支持部５は少なくとも一部は高さが漸減するように形成されていることが好ましい。具体的には、左側臀部支持部４と右側臀部支持部５の７０％以上の部分が１０°〜６０°の角度で傾斜していることが好ましい。
【００２４】
排泄補助具１は、左側臀部支持部４（左側臀部支持部４と左側大腿支持部２との境界を含む）と右側臀部支持部５（右側臀部支持部５と右側大腿支持部３との境界を含む）が最も高くなるように形成されることが好ましい。このとき、使用者が臀部を持ち上げた際に無理がかからないようにするために、排泄補助具１の高さ（最も高い部分の高さ）は２００ｍｍ以下が好ましく、１６０ｍｍ以下がより好ましい。一方、排泄を容易に行えるようにする点から、排泄補助具１の高さは４０ｍｍ以上が好ましく、８０ｍｍ以上がより好ましい。
【００２５】
左側大腿支持部２と右側大腿支持部３の間には空間６が形成されていることが好ましい。例えば小便や大便をする場合は、使用者の臀部と大腿部の下に排泄補助具１を置いて、左側大腿支持部２と右側大腿支持部３の間の空間６に差込便器を設置することで、使用者が容易に小便や大便ができるようになる。排泄補助具１は、図１等に示すように、左側大腿支持部２と右側大腿支持部３の間に排泄補助具１が存在していなくてもよく、図２に示すように、左側大腿支持部２と右側大腿支持部３の間に空間６の底を形成するものであってもよい。前者の場合、左側大腿支持部２と右側大腿支持部３の間の空間６には底が形成されないこととなる。なお、排泄補助具１が放屁を目的するものである場合、左側大腿支持部２と右側大腿支持部３の間に必ずしも空間６が形成されなくてもよい。
【００２６】
なお図面には示されていないが、排泄補助具１は、使用者の足側の左側大腿支持部２と右側大腿支持部３の間に土手が形成されてもよい。この場合、排泄補助具１の左側大腿支持部２と右側大腿支持部３の間の空間６に底が形成されていれば、排泄補助具１からの排泄物の漏れが防止され、ベッド等を誤って汚してしまうことを防止できる。
【００２７】
左側大腿支持部２と右側大腿支持部３は、排泄補助具１の上面で接続せず、互いに分離していることが好ましい。一方、左側臀部支持部４と右側臀部支持部５は、排泄補助具１の上面で互いに接続していてもよく、分離していてもよい。左側臀部支持部４と右側臀部支持部５が排泄補助具１の上面で互いに接続していれば、排泄補助具１によって使用者の仙骨や腰椎も支えられ、使用者が臀部を持ち上げる体勢をとりやすくなる。一方、左側臀部支持部４と右側臀部支持部５が排泄補助具１の上面で互いに分離している場合、排泄補助具１は、図３に示すように、左側臀部支持部４と右側臀部支持部５の間に、排泄補助具１の上面を縦断する溝が形成されていることが好ましい。このように排泄補助具１が形成されていれば、介護者が、使用者の足側と背側の両方から臀部の下に手を入れやすくなり、大便等をした後に使用者の臀部や陰部を拭きやすくなる。なお、排泄補助具１の上面に形成される溝は、図３に示すように底を有してもよく、また底を有していなくてもよい。
【００２８】
以上、図１〜図４を参照して様々な態様の排泄補助具を説明したが、本発明の排泄補助具は図面に示された態様に限定されない。排泄補助具は、各図面に示された特徴を任意に組み合わせて構成することができる。
【００２９】
本発明の排泄補助具は、本発明の目的を達することができるように構成することができる限り、その構成材料は特に限定されない。なお、排泄補助具は、使用者の臀部や大腿部が載っても大きく変形しないように構成されていることが好ましく、従って、木材やプラスチック等の硬質材料で構成されていることが好ましい。さらに、排泄補助具の上に臀部や大腿部を載せたときに使用者が痛みを感じにくくするために、前記硬質材料の表面はクッション性を有する材料（クッション性材料）で覆われていることが好ましい。クッション性材料としては、発泡ポリマーや繊維集合体等を用いることができる。さらに、クッション性材料を覆うように、布帛や皮革等のシート材料が設けられることが好ましい。
【産業上の利用可能性】
【００３０】
本発明の排泄補助具は、病院、介護施設、家庭等でベッド等に寝た状態の人に用いることができる。
【符号の説明】
【００３１】
１：  排泄補助具
２：  左側大腿支持部
３：  右側大腿支持部
４：  左側臀部支持部
５：  右側臀部支持部
６：  空間
【図１】
2014176542.tif 000003
【図２】
2014176542.tif 000004
【図３】
2014176542.tif 000005
【図４】
2014176542.tif 000006